(57)【要約】【課題】一対のリードを異なる方向に簡単に曲げること。【解決手段】電子部品実装装置は、電子部品の一対のリードの下端部が基板の裏面から突出するように、電子部品を基板の表面に実装する実装ヘッドと、基板の裏面から突出した一対のリードのそれぞれを保持可能な溝を有する一対のクリンチ部材と、リードが溝に保持されている状態で、基板の裏面と直交する回転軸を中心に一対のクリンチ部材を回転させる回転機構と、回転機構による回転の少なくとも一部と並行して、基板の裏面と平行な方向に一対のクリンチ部材を開く開閉機構と、を備える。【選択図】図１
2020013922.tif 000002
【特許請求の範囲】
【請求項１】
電子部品の一対のリードの下端部が基板の裏面から突出するように、前記電子部品を前記基板の表面に実装する実装ヘッドと、
前記基板の裏面から突出した一対の前記リードのそれぞれを保持可能な溝を有する一対のクリンチ部材と、
前記リードが前記溝に保持されている状態で、前記基板の裏面と直交する回転軸を中心に一対の前記クリンチ部材を回転させる回転機構と、
前記回転機構による回転の少なくとも一部と並行して、前記基板の裏面と平行な方向に一対の前記クリンチ部材を開く開閉機構と、
を備える電子部品実装装置。
【請求項２】
前記回転機構は、前記基板の裏面と平行な回動軸を中心に一対のクリンチ部材を回動可能に支持し、
一方の前記クリンチ部材は、前記回動軸に直交する第１側面と、前記第１側面の反対方向を向く第２側面とを有し、
他方の前記クリンチ部材は、前記第１側面と同方向を向く第３側面と、前記第２側面と同方向を向く第４側面とを有し、
前記溝は、前記第２側面及び前記第３側面のそれぞれに設けられる、
請求項１に記載の電子部品実装装置。
【請求項３】
前記溝は、前記第１側面及び前記第４側面のそれぞれに設けられる、
請求項２に記載の電子部品実装装置。
【請求項４】
前記電子部品は、一対の前記リードの基端部が接続される部品本体を有し、
一対の前記リードの基端部は、前記基板の裏面と平行な規定軸方向に配置され、
前記基板の裏面において、一方の前記リードが規定軸と直交するように曲げられ、他方の前記リードが前記規定軸と直交し且つ一方の前記リードの反対方向に曲げられるように、前記回転機構及び前記開閉機構を制御する制御信号を出力する制御装置を備える、
請求項１から請求項３のいずれか一項に記載の電子部品実装装置。
【請求項５】
前記制御装置は、一対の前記クリンチ部材が前記回転軸を中心に回転しながら開くように、前記制御信号を出力する、
請求項４に記載の電子部品実装装置。
【請求項６】
前記クリンチ部材は、上端面と、他方の前記クリンチ部材に対向する対向面とを有し、
前記開閉機構は、一対の前記クリンチ部材の前記上端面が離間するように前記クリンチ部材を開き、
前記溝は、前記上端面と前記対向面とを結ぶように設けられる、
請求項１から請求項５のいずれか一項に記載の電子部品実装装置。
【請求項７】
前記溝の幅は、前記上端面から前記対向面に向かって大きくなる、
請求項６に記載の電子部品実装装置。
【請求項８】
電子部品の一対のリードの下端部が基板の裏面から突出するように、前記電子部品を前記基板の表面に実装することと、
前記基板の裏面から突出した一対の前記リードのそれぞれが一対のクリンチ部材のそれぞれに設けられている溝に保持されている状態で、前記基板の裏面と直交する回転軸を中心に一対の前記クリンチ部材を回転させることと、
一対の前記クリンチ部材の回転の少なくとも一部と並行して、前記基板の裏面と平行な方向に一対の前記クリンチ部材を開くことと、
を含む電子部品実装方法。
【発明の詳細な説明】
【技術分野】
【０００１】
本発明は、電子部品実装装置及び電子部品実装方法に関する。
【背景技術】
【０００２】
電子機器の生産工程において、基板の表面に電子部品を実装する電子部品実装装置が使用される。電子部品実装技術の一例として、電子部品の一対のリードを異なる方向に曲げる技術が特許文献１に開示されている。
【先行技術文献】
【特許文献】
【０００３】
【特許文献１】特公平０６−０９５５９９号
【発明の概要】
【発明が解決しようとする課題】
【０００４】
特許文献１に開示されている技術においては、左側固定装置が一方のリードを曲げ、右側固定装置が他方のリードを曲げることにより、一対のリードが異なる方向に曲げられる。一対のリードを異なる方向に簡単に曲げることができる技術が要望される。
【０００５】
本発明の態様は、一対のリードを異なる方向に簡単に曲げることを目的とする。
【課題を解決するための手段】
【０００６】
本発明の第１の態様に従えば、電子部品の一対のリードの下端部が基板の裏面から突出するように、前記電子部品を前記基板の表面に実装する実装ヘッドと、前記基板の裏面から突出した一対の前記リードのそれぞれを保持可能な溝を有する一対のクリンチ部材と、前記リードが前記溝に保持されている状態で、前記基板の裏面と直交する回転軸を中心に一対の前記クリンチ部材を回転させる回転機構と、前記回転機構による回転の少なくとも一部と並行して、前記基板の裏面と平行な方向に一対の前記クリンチ部材を開く開閉機構と、を備える電子部品実装装置が提供される。
【０００７】
本発明の第２の態様に従えば、電子部品の一対のリードの下端部が基板の裏面から突出するように、前記電子部品を前記基板の表面に実装することと、前記基板の裏面から突出した一対の前記リードのそれぞれが一対のクリンチ部材のそれぞれに設けられている溝に保持されている状態で、前記基板の裏面と直交する回転軸を中心に一対の前記クリンチ部材を回転させることと、一対の前記クリンチ部材の回転の少なくとも一部と並行して、前記基板の裏面と平行な方向に一対の前記クリンチ部材を開くことと、を含む電子部品実装方法が提供される。
【発明の効果】
【０００８】
本発明の態様によれば、一対のリードを異なる方向に簡単に曲げることができる。
【図面の簡単な説明】
【０００９】
【図１】図１は、実施形態に係る電子部品実装装置を示す斜視図である。
【図２】図２は、実施形態に係る実装ヘッドを模式的に示す図である。
【図３】図３は、実施形態に係るノズルを示す図である。
【図４】図４は、実施形態に係る電子部品を示す模式図である。
【図５】図５は、実施形態に係るリード折曲装置を示す斜視図である。
【図６】図６は、実施形態に係るリード折曲装置の一部を示す斜視図である。
【図７】図７は、実施形態に係るリード折曲装置の一部を示す斜視図である。
【図８】図８は、実施形態に係るリード折曲装置の一部を示す斜視図である。
【図９】図９は、実施形態に係るリード折曲装置の一部を示す斜視図である。
【図１０】図１０は、実施形態に係るリード折曲装置の一部を示す斜視図である。
【図１１】図１１は、実施形態に係るリード折曲装置の一部を示す斜視図である。
【図１２】図１２は、実施形態に係る制御装置を示す機能ブロック図である。
【図１３】図１３は、実施形態に係る折曲モードの一例を示す模式図である。
【図１４】図１４は、実施形態に係る電子部品実装方法を示すフローチャートである。
【図１５】図１５は、実施形態に係る電子部品実装装置の動作を示す模式図である。
【発明を実施するための形態】
【００１０】
以下、本発明に係る実施形態について図面を参照しながら説明するが、本発明はこれに限定されない。以下で説明する実施形態の構成要素は、適宜組み合わせることができる。一部の構成要素を用いない場合もある。
【００１１】
以下の説明においては、ＸＹＺ直交座標系を設定し、このＸＹＺ直交座標系を参照しつつ各部の位置関係について説明する。所定面内のＸ軸と平行な方向をＸ軸方向とし、所定面内においてＸ軸と直交するＹ軸と平行な方向をＹ軸方向とし、Ｘ軸及びＹ軸のそれぞれと直交するＺ軸と平行な方向をＺ軸方向とする。Ｘ軸を中心とする回転又は傾斜方向をθＸ方向とし、Ｙ軸を中心とする回転又は傾斜方向をθＹ方向とし、Ｚ軸を中心とする回転又は傾斜方向をθＺ方向とする。所定面は、ＸＹ平面である。所定面に平行な方向は、Ｘ軸方向及びＹ軸方向の一方又は両方を含む。Ｚ軸方向は、所定面に直交する方向である。本実施形態において、所定面は、水平面と平行であり、Ｚ軸方向は、上下方向である。なお、所定面は、水平面に対して傾斜してもよい。
【００１２】
［電子部品実装装置］
図１は、本実施形態に係る電子部品実装装置１００を示す斜視図である。図１に示すように、電子部品実装装置１００は、ベースフレーム１１４と、電子部品Ｃを供給する電子部品供給装置２００と、電子部品供給装置２００が設置される設置部１０２と、基板Ｐを搬送する基板搬送装置１０３と、基板搬送装置１０３の搬送経路に設けられ、基板Ｐの端部を保持する基板保持機構１０４と、基板保持機構１０４に保持された基板Ｐの表面に電子部品Ｃを実装する実装ヘッド１０６と、実装ヘッド１０６に設けられ、電子部品Ｃを保持可能なノズル３０と、ＸＹ平面内において実装ヘッド１０６を移動可能な実装ヘッド移動装置１０７と、実装ヘッド１０６に設けられ、実装ヘッド１０６に対してノズル３０をＺ軸方向及びθＺ方向に移動可能なノズル移動装置１４０と、基板Ｐの裏面に対向する位置に配置されるアーム部材３１０を有するリード折曲装置３００と、電子部品実装装置１００を制御する制御装置１２０とを備える。
【００１３】
電子部品供給装置２００は、複数の電子部品Ｃを順次供給するフィーダを含む。設置部１０２は、フィーダが設置されるフィーダバンクを含む。設置部１０２、基板搬送装置１０３、実装ヘッド１０６、及び実装ヘッド移動装置１０７は、ベースフレーム１１４に支持される。電子部品供給装置２００に部品供給位置ＰＪａが規定される。部品供給位置ＰＪａは、電子部品供給装置２００から実装ヘッド１０６に電子部品Ｃを供給する部品供給処理が実施される位置である。
【００１４】
基板搬送装置１０３は、基板Ｐを実装位置ＰＪｂに搬送する。実装位置ＰＪｂは、電子部品Ｃを基板Ｐに実装する実装処理が実施される位置である。基板搬送装置１０３は、基板Ｐを搬送可能な搬送ベルトを有する。搬送ベルトは、Ｙ軸方向に一対設けられる。一方の搬送ベルトは、基板Ｐの裏面の＋Ｙ側の端部を支持し、他方の搬送ベルトは、基板Ｐの裏面の−Ｙ側の端部を支持する。搬送ベルトは、無端ベルトを含み、基板Ｐを支持した状態で回転することにより、基板ＰをＸ軸方向に搬送する。
【００１５】
基板保持機構１０４は、基板搬送装置１０３の搬送経路において基板Ｐの端部を保持する。基板保持機構１０４は、実装位置ＰＪｂにおいて基板Ｐを保持する。基板保持機構１０４に保持された基板は、実装位置ＰＪｂで停止する。基板保持機構１０４は、基板Ｐの端部を挟むクランプ機構を含む。基板保持機構１０４は、Ｙ軸方向の基板Ｐの両端部を保持する。基板保持機構１０４は、基板Ｐの表面及び裏面のそれぞれとＸＹ平面とが平行になるように基板Ｐを保持する。基板Ｐの表面は、上方を向く面である。基板Ｐの裏面は、下方を向く面である。
【００１６】
実装ヘッド１０６は、基板保持機構１０４に保持された基板Ｐの表面に電子部品Ｃを実装する。実装ヘッド１０６は、電子部品Ｃを解放可能に保持するノズル３０を有する。実装ヘッド１０６は、部品供給位置ＰＪａ及び実装位置ＰＪｂを含むＸＹ平面内において移動可能である。実装ヘッド１０６は、電子部品供給装置２００から供給された電子部品Ｃをノズル３０で保持して、実装位置ＰＪｂに配置されている基板Ｐの表面に実装する。
【００１７】
実装ヘッド移動装置１０７は、基板Ｐの上方及び電子部品供給装置２００の上方で、実装ヘッド１０６を移動する。実装ヘッド移動装置１０７は、部品供給位置ＰＪａ及び実装位置ＰＪｂを含むＸＹ平面内において実装ヘッド１０６を移動可能である。
【００１８】
実装ヘッド移動装置１０７は、実装ヘッド１０６をＸ軸方向にガイドするＸ軸ガイドレール１０７ａと、Ｘ軸ガイドレール１０７ａをＹ軸方向にガイドするＹ軸ガイドレール１０７ｂと、実装ヘッド１０６をＸ軸方向に移動するための動力を発生するＸ駆動部１０９と、実装ヘッド１０６をＹ軸方向に移動するための動力を発生するＹ駆動部１１０とを有する。
【００１９】
実装ヘッド１０６は、Ｘ軸ガイドレール１０７ａに支持される。Ｘ駆動部１０９は、モータのようなアクチュエータを含み、Ｘ軸ガイドレール１０７ａに支持されている実装ヘッド１０６をＸ軸方向に移動するための動力を発生する。Ｘ駆動部１０９の作動により、実装ヘッド１０６は、Ｘ軸ガイドレール１０７ａにガイドされながらＸ軸方向に移動する。
【００２０】
Ｘ軸ガイドレール１０７ａは、Ｙ軸ガイドレール１０７ｂに支持される。Ｙ駆動部１１０は、モータのようなアクチュエータを含み、Ｙ軸ガイドレール１０７ｂに支持されているＸ軸ガイドレール１０７ａをＹ軸方向に移動するための動力を発生する。Ｙ駆動部１１０の作動により、Ｘ軸ガイドレール１０７ａは、Ｙ軸ガイドレール１０７ｂにガイドされながらＹ軸方向に移動する。Ｘ軸ガイドレール１０７ａがＹ軸方向に移動することにより、実装ヘッド１０６がＹ軸方向に移動する。
【００２１】
図２は、本実施形態に係る実装ヘッド１０６を模式的に示す図である。実装ヘッド１０６は、電子部品Ｃを解放可能に保持するノズル３０を有する。ノズル３０は、部品供給位置ＰＪａにおいて、電子部品供給装置２００から供給された電子部品Ｃを保持する。ノズル３０は、部品供給位置ＰＪａにおいて電子部品Ｃを保持した後、実装位置ＰＪｂまで搬送し、基板Ｐに実装する。実装位置ＰＪｂにおいて電子部品Ｃが基板Ｐに実装された後、ノズル３０は、電子部品Ｃを解放する。これにより、基板Ｐに電子部品Ｃが実装される。
【００２２】
実装ヘッド１０６は、ノズル３０をＺ軸方向及びθＺ方向に移動可能なノズル移動装置１４０を有する。ノズル移動装置１４０は、ノズル３０をＺ軸方向に移動するＺ駆動部１５０と、ノズル３０をθＺ方向に回転するθＺ駆動部１６０とを含む。Ｚ駆動部１５０は、モータのようなアクチュエータを含み、ノズル３０をＺ軸方向に移動するための動力を発生する。θＺ駆動部１６０は、モータのようなアクチュエータを含み、ノズル３０をθＺ方向に移動するための動力を発生する。
【００２３】
ノズル３０は、実装ヘッド移動装置１０７及びノズル移動装置１４０により、Ｘ軸方向、Ｙ軸方向、Ｚ軸方向、及びθＺ方向の４つの方向に移動可能である。なお、ノズル３０は、Ｘ軸方向、Ｙ軸方向、Ｚ軸方向、θＸ方向、θＹ方向、及びθＺ方向の６つの方向に移動可能でもよい。
【００２４】
図３は、本実施形態に係るノズル３０を示す図である。図３に示すノズル３０は、電子部品Ｃを挟んで保持する把持ノズルである。ノズル３０は、ノズル本体３５と、ノズル本体３５に支持され、電子部品Ｃを挟んで保持する保持部３２とを有する。保持部３２は、固定アーム３２Ａと、可動アーム３２Ｂと、可動アーム３２Ｂを移動可能な駆動部３３とを有する。可動アーム３２Ｂは、ヒンジ機構３４を介してノズル本体３５に支持される。可動アーム３２Ｂは、ヒンジ機構３４の回転軸を中心に回転可能である。固定アーム３２Ａと可動アーム３２Ｂとの間に電子部品Ｃが配置されている状態で、可動アーム３２Ｂが固定アーム３２Ａに接近するように移動することにより、電子部品Ｃは保持部３２に保持される。可動アーム３２Ｂが固定アーム３２Ａから離れるように移動することにより、電子部品Ｃは保持部３２から解放される。なお、ノズル３０は、電子部品Ｃを吸着保持する吸着ノズルでもよい。
【００２５】
［電子部品］
図４は、本実施形態に係る電子部品Ｃを示す模式図である。本実施形態において、基板Ｐに実装される電子部品Ｃは、リードＬＤを有するリード型電子部品である。図４に示すように、電子部品Ｃは、部品本体ＣＨと、部品本体ＣＨから下方に突出する一対のリードＬＤとを有する。一対のリードＬＤの基端部は、部品本体ＣＨに接続される。図４に示す例において、一対のリードＬＤの基端部は、基板Ｐの裏面と平行なＸ軸方向に配置される。電子部品Ｃを基板Ｐに実装するとき、実装ヘッド１０６は、基板Ｐに設けられている貫通孔に一対のリードＬＤが挿入され、一対のリードＬＤの下端部が基板Ｐの裏面から突出するように、基板Ｐの表面に電子部品Ｃを実装する。基板Ｐの表面に電子部品Ｃが実装されると、リードＬＤの下端部が基板Ｐの裏面から下方に突出する。
【００２６】
［リード折曲装置］
次に、本実施形態に係るリード折曲装置３００について説明する。図５は、本実施形態に係るリード折曲装置３００を示す斜視図である。リード折曲装置３００は、電子部品Ｃの実装において、基板保持機構１０４に保持されている基板Ｐの裏面から突出した一対のリードＬＤを曲げる。リード折曲装置３００は、基板搬送装置１０３により搬送される基板Ｐの搬送経路の下方に配置される。リード折曲装置３００は、基板保持機構１０４に保持されている基板Ｐの裏面に対向する位置に配置されるアーム部材３１０を有する。アーム部材３１０は、一対のクリンチ部材３１０Ｂを含む。
【００２７】
リード折曲装置３００は、基板保持機構１０４に保持されている基板Ｐの裏面に対向する位置に配置されるアーム部材３１０と、基板Ｐの裏面側でアーム部材３１０を移動する移動装置３５０とを有する。
【００２８】
移動装置３５０は、基板Ｐの裏面側でＸＹ平面に平行な方向及びＸＹ平面に直交するＺ軸方向にアーム部材３１０を移動可能である。
【００２９】
移動装置３５０は、ベースプレート３５１と、アーム部材３１０を支持する移動部材３５２と、移動部材３５２をＹ軸方向にガイドするＹ軸ガイド部３５３と、Ｙ軸ガイド部３５３をＸ軸方向にガイドするＸ軸ガイド部３５４と、移動部材３５２をＹ軸方向に移動するための動力を発生するＹ軸駆動部３５５と、移動部材３５２をＸ軸方向に移動するための動力を発生するＸ軸駆動部３５６と、アーム部材３１０をＺ軸方向にガイドするＺ軸ガイド部３５７と、アーム部材３１０をＺ軸方向に移動するための動力を発生するＺ軸駆動部３５８とを有する。
【００３０】
ベースプレート３５１は、基板保持機構１０４の下方に配置される。ベースプレート３５１は、ベースフレーム１１４に支持される。
【００３１】
移動部材３５２は、アーム部材３１０を支持する。移動部材３５２は、アーム部材３１０を支持した状態で、Ｘ軸方向及びＹ軸方向のそれぞれに移動可能である。移動部材３５２は、Ｙ軸ガイド部３５３に支持される。
【００３２】
Ｙ軸ガイド部３５３は、底板３５３Ａと、底板３５３Ａの＋Ｙ側の端部及び−Ｙ側の端部のそれぞれに固定された側板３５３Ｂと、一対の側板３５３Ｂの間に配置された一対のＹ軸ガイドロッド３５３Ｃとを有する。Ｙ軸ガイドロッド３５３Ｃは、Ｙ軸方向に延在する。Ｙ軸ガイドロッド３５３Ｃの一方の端部は、一方の側板３５３Ｂに固定される。Ｙ軸ガイドロッド３５３Ｃの他方の端部は、他方の側板３５３Ｂに固定される。一対のＹ軸ガイドロッド３５３Ｃは、平行に配置される。移動部材３５２は、Ｙ軸ガイドロッド３５３Ｃが配置される貫通孔を有する。移動部材３５２は、Ｙ軸ガイドロッド３５３ＣによりＹ軸方向にガイドされる。
【００３３】
Ｙ軸駆動部３５５は、移動部材３５２をＹ軸方向に移動するための動力を発生する。Ｙ軸駆動部３５５は、モータのようなアクチュエータを含む。Ｙ軸駆動部３５５で発生した動力は、動力伝達機構を介して移動部材３５２に伝達される。Ｙ軸駆動部３５５の作動により、移動部材３５２は、Ｙ軸ガイド部３５３にガイドされながらＹ軸方向に移動する。移動部材３５２がＹ軸方向に移動することにより、アーム部材３１０がＹ軸方向に移動する。アーム部材３１０のＹ軸方向の位置は、Ｙ軸駆動部３５５の駆動量により規定される。
【００３４】
Ｙ軸ガイド部３５３は、Ｘ軸ガイド部３５４に支持される。Ｘ軸ガイド部３５４は、ベースプレート３５１に支持される一対のＸ軸ガイドレール３５４Ｇを含む。Ｘ軸ガイドレール３５４Ｇは、Ｘ軸方向に延在する。一対のＸ軸ガイドレール３５４Ｇは、平行に配置される。
【００３５】
Ｘ軸駆動部３５６は、Ｙ軸ガイド部３５３をＸ軸方向に移動するための動力を発生する。Ｘ軸駆動部３５６は、モータのようなアクチュエータを含む。Ｘ軸駆動部３５６で発生した動力は、動力伝達機構を介してＹ軸ガイド部３５３に伝達される。Ｘ軸駆動部３５６の作動により、Ｙ軸ガイド部３５３は、Ｘ軸ガイド部３５４にガイドされながらＸ軸方向に移動する。Ｙ軸ガイド部３５３がＸ軸方向に移動することにより、移動部材３５２がＸ軸方向に移動する。移動部材３５２がＸ軸方向に移動することにより、アーム部材３１０がＸ軸方向に移動する。アーム部材３１０のＸ軸方向の位置は、Ｘ軸駆動部３５６の駆動量により規定される。
【００３６】
図６、図７、図８、図９、図１０、及び図１１のそれぞれは、本実施形態に係るリード折曲装置３００の一部を示す斜視図である。図６は、リード折曲装置３００の一部を斜め上方から見た図である。図７は、リード折曲装置３００の一部を斜め下方から見た図である。図８は、図６の一部を拡大した図である。図９は、リード折曲装置３００の一部の要素を外した状態の斜視図である。図１０及び図１１のそれぞれは、アーム部材３１０を拡大した斜視図である。
【００３７】
移動部材３５２は、第１支持部材３１１及び第２支持部材３１２を介して、アーム部材３１０を支持する。アーム部材３１０は、第２支持部材３１２に支持される。第２支持部材３１２は、第１支持部材３１１に支持される。第１支持部材３１１は、移動部材３５２に支持される。
【００３８】
Ｚ軸ガイド部３５７は、移動部材３５２に取り付けられる雄ねじロッド３５７Ａと、第１支持部材３１１に取り付けられる雌ねじロッド３５７Ｂと、移動部材３５２に取り付けられるガイドロッド３５７Ｃとを有する。Ｚ軸ガイド部３５７は、第１支持部材３１１をＺ軸方向にガイドする。Ｚ軸ガイド部３５７は、第１支持部材３１１をＺ軸方向にガイドすることにより、アーム部材３１０をＺ軸方向にガイドする。
【００３９】
雄ねじロッド３５７Ａは、Ｚ軸方向に延在し、θＺ方向に回転可能に移動部材３５２に支持される。雄ねじロッド３５７Ａの外周面に雄ねじ山が形成される。雌ねじロッド３５７Ｂは、第１支持部材３１１に接続される。雌ねじロッド３５７Ｂは筒状であり、雌ねじロッド３５７Ｂに雄ねじロッド３５７Ａが挿入される。雌ねじロッド３５７Ｂの内周面に雌ねじ溝が形成される。雄ねじロッド３５７Ａの雄ねじ山と雌ねじロッド３５７Ｂの雌ねじ溝とが噛み合う。
【００４０】
ガイドロッド３５７Ｃは、第１支持部材３１１をＺ軸方向にガイドする。ガイドロッド３５７Ｃは、Ｚ軸方向に延在する。ガイドロッド３５７Ｃは、移動部材３５２に設けられている孔３５７Ｄに挿入される。
【００４１】
Ｚ軸駆動部３５８は、第１支持部材３１１をＺ軸方向に移動するための動力を発生する。Ｚ軸駆動部３５８は、モータのようなアクチュエータを含む。Ｚ軸駆動部３５８で発生した動力は、動力伝達機構３５８Ｄを介して雄ねじロッド３５７Ａに伝達される。動力伝達機構３５８Ｄは、雄ねじロッド３５７Ａに取り付けられるプーリと、プーリとＺ軸駆動部３５８とを連結する無端ベルトとを含む。Ｚ軸駆動部３５８の作動により、雄ねじロッド３５７ＡがθＺ方向に回転する。雄ねじロッド３５７Ａが回転すると、雌ねじロッド３５７ＢがＺ軸方向に移動する。これにより、第１支持部材３１１がガイドロッド３５７ＣにガイドされながらＺ軸方向に移動する。第１支持部材３１１がＺ軸方向に移動することにより、アーム部材３１０がＺ軸方向に移動する。アーム部材３１０のＺ軸方向の位置は、Ｚ軸駆動部３５８の駆動量により規定される。
【００４２】
第１支持部材３１１は、第２支持部材３１２をθＺ方向に回転可能に支持する。第２支持部材３１２は、アーム部材３１０を支持する。第２支持部材３１２は、アーム部材３１０を支持する支持台３１２Ａと、支持台３１２Ａの下部に固定される円筒部３１２Ｂとを含む。
【００４３】
リード折曲装置３００は、電子部品ＣのリードＬＤを曲げるためにアーム部材３１０を駆動するクリンチ装置３２０を有する。上述のように、電子部品Ｃが基板Ｐに実装された場合、基板Ｐの裏面からリードＬＤが突出する。アーム部材３１０は、電子部品ＣのリードＬＤを曲げることができるクリンチ機能を有する。クリンチ装置３２０は、アーム部材３１０を駆動して、基板Ｐの裏面から突出したリードＬＤを曲げる。
【００４４】
アーム部材３１０は、基板保持機構１０４に保持されている基板Ｐの裏面に対向する位置に配置される一対のクリンチ部材３１０Ｂを含む。
【００４５】
一方のクリンチ部材３１０Ｂは、上端面３１０Ｂａと、他方のクリンチ部材３１０Ｂに対向する対向面３１０Ｂｂと、第１側面１と、第１側面１の反対方向を向く第２側面２とを有する。他方のクリンチ部材３１０Ｂは、上端面３１０Ｂａと、一方のクリンチ部材３１０Ｂに対向する対向面３１０Ｂｂと、第１側面１と同方向を向く第３側面３と、第２側面２と同方向を向く第４側面４とを有する。
【００４６】
クリンチ装置３２０は、一対のクリンチ部材３１０ＢをθＺ方向に回転させる回転機構３３０と、一対のクリンチ部材３１０Ｂを開閉させる開閉機構３４０とを有する。
【００４７】
回転機構３３０は、第２支持部材３１２をθＺ方向に回転させることによって、基板Ｐの裏面（ＸＹ平面）と直交する回転軸ＢＸを中心に一対のクリンチ部材３１０Ｂを回転させる。回転機構３３０は、第２支持部材３１２をθＺ方向にガイドする回転ガイド部３３１と、第２支持部材３１２をθＺ方向に回転するための動力を発生する回転駆動部３３２とを有する。
【００４８】
回転ガイド部３３１は、第２支持部材３１２をθＺ方向にガイドする。回転ガイド部３３１は、第１支持部材３１１に設けられた孔を含む。第２支持部材３１２の円筒部３１２Ｂが第１支持部材３１１の孔に回転可能に支持される。第２支持部材３１２は、回転ガイド部３３１によりθＺ方向にガイドされる。
【００４９】
回転駆動部３３２は、第２支持部材３１２をθＺ軸方向に回転するための動力を発生する。回転駆動部３３２は、モータのようなアクチュエータを含む。回転駆動部３３２で発生した動力は、動力伝達機構３３２Ｄを介して第２支持部材３１２に伝達される。動力伝達機構３３２Ｄは、第２支持部材３１２の円筒部３１２Ｂと回転駆動部３３２とを連結する無端ベルトを含む。回転駆動部３３２の作動により、第２支持部材３１２は、回転ガイド部３３１にガイドされながらθＺ方向に移動する。第２支持部材３１２がθＺ方向に回転することにより、アーム部材３１０がθＺ方向に回転する。アーム部材３１０のθＺ方向の位置は、回転駆動部３３２の駆動量により規定される。
【００５０】
開閉機構３４０は、基板Ｐの裏面（ＸＹ平面）と平行な方向に一対のクリンチ部材３１０Ｂを開閉させる。開閉機構３４０は、一方のクリンチ部材３１０Ｂの上端面３１０Ｂａと他方のクリンチ部材３１０Ｂの上端面３１０Ｂａとが接近及び離間するように、一対のクリンチ部材３１０Ｂを開閉させる。
【００５１】
開閉機構３４０は、基板Ｐの裏面（ＸＹ平面）と平行な回動軸ＡＸを中心に一対のクリンチ部材３１０Ｂを回動可能に支持する。開閉機構３４０は、一対のクリンチ部材３１０Ｂのそれぞれを回動可能に支持するシャフト３１０Ａを有する。シャフト３１０Ａは、回動軸ＡＸを含む。クリンチ部材３１０Ｂの回動軸ＡＸは、ＸＹ平面と平行である。図６から図１１に示す例においては、クリンチ部材３１０Ｂは、シャフト３１０ＡにθＹ方向に回転可能に支持される。シャフト３１０Ａは、ローラ３４４に固定される。一対のクリンチ部材３１０Ｂのそれぞれがシャフト３１０Ａ（回動軸ＡＸ）を中心に回動することにより、一方のクリンチ部材３１０Ｂが開閉する。
【００５２】
第１側面１、第２側面２、第３側面３、及び第４側面４のそれぞれは、回動軸ＡＸに実質的に直交する。
【００５３】
第２支持部材３１２の支持台３１２Ａの上面に、一対のガイドロッド３４１Ａが設けられる。ガイドロッド３４１Ａは、Ｚ軸方向に延在する。ローラ３４４は、ガイドロッド３４１Ａの上端部に支持される。クリンチ部材３１０Ｂとシャフト３１０Ａ及びローラ３４４とは相対回転可能である。
【００５４】
開閉機構３４０は、第２支持部材３１２に対してＺ軸方向に移動可能な開閉部材３４２と、アーム部材３１０を開閉するための動力を発生する開閉駆動部３４３とを有する。
【００５５】
開閉部材３４２は、支持台３１２Ａよりも上方に配置される。開閉部材３４２は、回転シャフト３４３Ａに連結される。回転シャフト３４３Ａは、Ｚ軸方向に延在し、θＺ方向に回転可能に移動部材３５２に支持される。図９及び図１０に示すように、ＸＹ平面内において第２支持部材３１２の中央部に貫通孔３１３が設けられる。貫通孔３１３は、支持台３１２Ａ及び円筒部３１２ＢをＺ軸方向に貫く。回転シャフト３４３Ａの少なくとも一部は、貫通孔３１３に配置される。回転シャフト３４３Ａと第２支持部材３１２とは相対回転可能である。
【００５６】
回転シャフト３４３Ａの上部の外周面に雄ねじ山が形成される。開閉部材３４２は、回転シャフト３４３Ａの上部が挿入される孔を有する。開閉部材３４２の孔の内周面に雌ねじ溝が形成される。回転シャフト３４３Ａの雄ねじ山と開閉部材３４２の雌ねじ溝とが噛み合う。
【００５７】
開閉部材３４２は、ガイドロッド３４１Ａが配置される貫通孔を有する。ガイドロッド３４１Ａは、開閉部材３４２をＺ軸方向にガイドする。ガイドロッド３４１Ａは、Ｚ軸方向に延在する。開閉部材３４２は、Ｚ軸方向に移動可能にガイドロッド３４１Ａに支持される。開閉部材３４２は、ピン３１０Ｃを介して一対のクリンチ部材３１０Ｂに連結される。ピン３１０Ｃは、一対のクリンチ部材３１０Ｂの間に配置される。ローラ３４４と支持台３１２Ａとがばね３１０Ｄで連結される。
【００５８】
開閉駆動部３４３は、開閉部材３４２をＺ軸方向に移動するための動力を発生する。開閉駆動部３４３は、モータのようなアクチュエータを含む。開閉駆動部３４３で発生した動力は、動力伝達機構３４３Ｄを介して回転シャフト３４３Ａに伝達される。動力伝達機構３４３Ｄは、回転シャフト３４３Ａに取り付けられるプーリと、プーリと開閉駆動部３４３とを連結する無端ベルトとを含む。開閉駆動部３４３の作動により、回転シャフト３４３ＡがθＺ方向に回転する。回転シャフト３４３Ａが回転すると、開閉部材３４２がガイドロッド３４１ＡにガイドされながらＺ軸方向に移動する。開閉部材３４２がＺ方向に移動することにより、ピン３１０ＣがＺ軸方向に移動する。シャフト３１０Ａ及びローラ３４４は、ガイドロッド３４１Ａの上端部に支持されている。シャフト３１０Ａ及びローラ３４４のＺ軸方向の位置は実質的に変化しない。ピン３１０ＣがＺ軸方向に移動することにより、一対のクリンチ部材３１０Ｂのそれぞれがシャフト３１０Ａを中心に回転する。これにより、一対のクリンチ部材３１０Ｂが開閉する。図１０に示すように、開閉部材３４２が＋Ｚ方向に移動することにより、一対のクリンチ部材３１０Ｂは開く。すなわち、一対のクリンチ部材３１０Ｂの上端面３１０Ｂａは離間する。図１１に示すように、開閉部材３４２が−Ｚ方向に移動することにより、一対のクリンチ部材３１０Ｂは閉じる。すなわち、一対のクリンチ部材３１０Ｂの上端面３１０Ｂａは接近する。クリンチ部材３１０Ｂの上端面３１０Ｂａの開閉方向の位置は、開閉駆動部３４３の駆動量により規定される。
【００５９】
以上のように、一対のクリンチ部材３１０Ｂは、移動装置３５０及び回転機構３３０により、基板保持機構１０４に保持されている基板Ｐの裏面側で、Ｘ軸方向、Ｙ軸方向、Ｚ軸方向、及びθＺ方向の４つの方向に移動可能である。また、一対のクリンチ部材３１０Ｂは、開閉機構３４０により開閉可能である。
【００６０】
クリンチ部材３１０Ｂは、基板Ｐの裏面から突出したリードＬＤを保持可能な溝１０を有する。溝１０は、一対のクリンチ部材３１０Ｂのそれぞれに設けられる。溝１０は、第１側面１、第２側面２、第３側面３、及び第４側面４のそれぞれに設けられる。
【００６１】
溝１０は、クリンチ部材３１０Ｂの上端面３１０Ｂａと対向面３１０Ｂｂとを結ぶように設けられる。溝１０の幅は、上端面３１０Ｂａから対向面３１０Ｂｂに向かって大きくなる。
【００６２】
［制御装置］
図１２は、本実施形態に係る制御装置１２０の一例を示す機能ブロック図である。制御装置１２０は、電子部品実装装置１００を制御する。制御装置１２０は、コンピュータシステムを含む。コンピュータシステムは、ＣＰＵ（Central  Processing  Unit）のようなプロセッサを含む演算装置と、ＲＯＭ（Read  Only  Memory）又はストレージのような不揮発性メモリ及びＲＡＭ（Random  Access  Memory）のような揮発性メモリを含む記憶装置と、信号及びデータを入出力可能な入出力回路を含む入出力インターフェースとを有する。
【００６３】
制御装置１２０は、制御部１２１と、記憶部１２２と、折曲モード決定部１２３とを有する。
【００６４】
記憶部１２２は、電子部品実装装置１００の動作条件を示す生産プログラムを記憶する。生産プログラムは、電子部品Ｃの実装処理に使用されるデータを含む。生産プログラムは、基板Ｐの表面において電子部品Ｃが搭載される搭載位置ＭＰを示す搭載位置データ、及び電子部品ＣのリードＬＤの折曲モードを示す折曲データを含む。
【００６５】
制御部１２１は、記憶部１２２に記憶されている生産プログラムに基づいて、基板搬送装置１０３、基板保持機構１０４、実装ヘッド１０６、電子部品供給装置２００、及びリード折曲装置３００に制御信号を出力する。制御部１２１は、生産プログラムに基づいて、リード折曲装置３００のＹ軸駆動部３５５、Ｘ軸駆動部３５６、Ｚ軸駆動部３５８、回転駆動部３３２、及び開閉駆動部３４３のそれぞれに制御信号を出力する。
【００６６】
折曲モード決定部１２３は、記憶部１２２に記憶されている生産プログラムに基づいて、基板Ｐの裏面から突出するリードＬＤの折曲モードを決定する。リードＬＤの折曲モードとは、基板Ｐの裏面においてリードＬＤを曲げる曲げ方をいう。リードＬＤの折曲モードとして、外曲げモード、内曲げモード、回転曲げモード、及びＮ曲げモードが設定される。
【００６７】
図１３は、本実施形態に係る折曲モードの一例を示す模式図である。図１３（Ａ）に示すように、外曲げモードとは、一対のリードＬＤの基端部が基板Ｐの裏面と平行な規定軸方向（例えばＸ軸方向）に配置されている場合において、一方のリードＬＤが規定軸と平行となるように且つ他方のリードＬＤから離れるように曲げられ、他方のリードＬＤが規定軸と平行となるように且つ一方のリードＬＤから離れるように曲げられる折曲モードをいう。図１３（Ｂ）に示すように、内曲げモードとは、一対のリードＬＤの基端部が基板Ｐの裏面と平行な規定軸方向（例えばＸ軸方向）に配置されている場合において、一方のリードＬＤが規定軸と平行となるように且つ他方のリードＬＤに近付くように曲げられ、他方のリードＬＤが規定軸と平行となるように且つ一方のリードＬＤに近付くように曲げられる折曲モードをいう。図１３（Ｃ）に示すように、回転曲げモードとは、一対のリードＬＤが基板Ｐの裏面と直交するＺ軸を中心とする回転方向に曲げられる折曲モードをいう。図１３（Ｄ）に示すように、Ｎ曲げモードとは、一対のリードＬＤの基端部が基板Ｐの裏面と平行な規定軸方向（例えばＸ軸方向）に配置されている場合において、一方のリードＬＤが規定軸と直交するように曲げられ、他方のリードＬＤが規定軸と直交し且つ一方のリードＬＤの反対方向に曲げられる折曲モードをいう。
【００６８】
実装ヘッド１０６は、生産プログラムに基づいて、複数の電子部品Ｃを基板Ｐに順次実装する。すなわち、実装ヘッド１０６は、部品供給位置ＰＪａにおいて電子部品Ｃをノズル３０で保持した後、実装位置ＰＪｂに移動し、基板Ｐに実装する。実装ヘッド１０６は、電子部品Ｃを基板の表面に実装した後、部品供給位置ＰＪａに移動し、新たな電子部品Ｃをノズル３０で保持する。実装ヘッド１０６は、部品供給位置ＰＪａにおいて新たな電子部品Ｃをノズル３０で保持した後、実装位置ＰＪｂに移動し、基板Ｐに実装する。このように、実装ヘッド１０６は、部品供給位置ＰＪａと実装位置ＰＪｂとの間を移動して、複数の電子部品Ｃを基板Ｐに順次搬送する。制御部１２１は、基板Ｐの表面に規定される複数の搭載位置ＭＰのそれぞれに電子部品Ｃが順次実装されるように、ＸＹ平面内において実装ヘッド１０６を移動させる。
【００６９】
折曲モード決定部１２３は、電子部品Ｃが実装される基板Ｐの表面の搭載位置ＭＰに基づいて、基板Ｐの裏面から突出したリードＬＤの折曲モードを決定する。移動装置３５０は、基板Ｐの裏面から突出したリードＬＤにクリンチ部材３１０Ｂを接触させる。
【００７０】
［電子部品実装方法］
次に、本実施形態に係る電子部品実装方法について説明する。図１４は、実施形態に係る電子部品実装方法を示すフローチャートである。図１５は、本実施形態に係る電子部品実装装置１００の動作を示す模式図である。
【００７１】
制御部１２１は、基板Ｐが実装位置ＰＪｂに搬送されるように、基板搬送装置１０３に制御信号を出力する。基板搬送装置１０３は、基板Ｐを実装位置ＰＪｂに搬送する。次に、制御部１２１は、実装位置ＰＪｂに搬送された基板Ｐを保持するように、基板保持機構１０４に制御信号を出力する。基板保持機構１０４は、実装位置ＰＪｂに搬送された基板Ｐを保持する。
【００７２】
実装ヘッド１０６は、基板保持機構１０４に保持された基板Ｐの表面に電子部品Ｃを実装する。実装ヘッド１０６は、電子部品Ｃの一対のリードＬＤの下端部が、基板Ｐに設けられている孔の裏面から下方に突出するように、電子部品Ｃを基板Ｐに挿入（実装）する（ステップＳ１０）。
【００７３】
折曲モード決定部１２３は、生産プログラムに基づいて、基板Ｐの裏面においてリードＬＤを曲げる曲げ方を示す折曲モードを決定する（ステップＳ２０）。
【００７４】
制御部１２１は、ステップＳ２０において決定された折曲モードでリードＬＤが曲げられるように、制御信号を出力する。ステップＳ２０において決定された折曲モードが、一方のリードＬＤが規定軸（Ｘ軸）と直交するように曲げられ、他方のリードＬＤが規定軸と直交し且つ一方のリードＬＤの反対方向に曲げられるＮ曲げモードである場合、制御部１２１は、基板Ｐの裏面から突出したリードＬＤがクリンチ部材３１０Ｂの溝１０に配置されるように、Ｙ軸駆動部３５５、Ｘ軸駆動部３５６、Ｚ軸駆動部３５８、及び回転駆動部３３２の少なくとも一つに制御信号を出力する（ステップＳ３０）。
【００７５】
図１５（Ａ）は、基板Ｐの裏面から突出したリードＬＤがクリンチ部材３１０Ｂの溝１０に配置されている状態を示す模式図であり、基板Ｐの裏面側からリードＬＤ及びクリンチ部材３１０Ｂを見た図に相当する。
【００７６】
制御部１２１は、Ｙ軸駆動部３５５、Ｘ軸駆動部３５６、Ｚ軸駆動部３５８、及び回転駆動部３３２の少なくとも一つに制御信号を出力して、基板Ｐの裏面から突出したリードＬＤとクリンチ部材３１０Ｂの溝１０とを合わせる。図１５（Ａ）は、一方のクリンチ部材３１０Ｂの第２側面２に設けられている溝１０に一方のリードＬＤが配置され、他方のクリンチ部材３１０Ｂの第３側面３に設けられている溝１０に他方のリードＬＤが配置されている状態を示す。第２側面２の溝１０に一方のリードＬＤが保持され、第３側面３の溝１０に他方のリードＬＤが保持されている状態で、一方のクリンチ部材３１０Ｂと他方のクリンチ部材３１０Ｂとは、距離Ｄａだけ離れている。
【００７７】
第２側面２の溝１０に一方のリードＬＤが保持され、第３側面３の溝１０に他方のリードＬＤが保持された後、制御部２１は、回転機構３３０の回転駆動部３３２に制御信号を出力して、一対のクリンチ部材３１０Ｂを、回転軸ＢＸを中心に回転させる。回転軸ＢＸは、Ｚ軸と平行であり、第２支持部材３１２（円筒部３１２Ｂ）の回転軸に相当する。回転機構３３０は、制御部１２１から出力された制御信号に基づいて、リードＬＤが溝１０に保持されている状態で、基板Ｐの裏面と直交する回転軸ＢＸを中心に一対のクリンチ部材３１０Ｂを回転させる。
【００７８】
また、制御部１２１は、回転機構３３０により一対のクリンチ部材３１０Ｂが回転軸ＢＸを中心に回転しながら開くように、開閉機構３４０の開閉駆動部３４３に制御信号を出力する。開閉機構３４０は、制御部１２１から出力された制御信号に基づいて、回転機構３３０による一対のクリンチ部材３１０Ｂの回転の少なくとも一部と並行（同時に行われること）して、基板Ｐの裏面と平行な方向に一対のクリンチ部材３１０Ｂを開く。
【００７９】
図１５（Ｂ）は、一対のクリンチ部材３１０Ｂが回転軸ＢＸを中心に回転しながら開いている状態を示す模式図であり、基板Ｐの裏面側からリードＬＤ及びクリンチ部材３１０Ｂを見た図に相当する。
【００８０】
図１５（Ｂ）に示すように、一対のクリンチ部材３１０Ｂが回転軸ＢＸを中心に回転しながら、距離Ｄａよりも長い距離Ｄｂだけ離れるように開くことにより、一方のリードＬＤは規定軸（Ｘ軸）と直交するように−Ｙ方向に曲げられ、他方のリードＬＤは規定軸（Ｘ軸）と直交し且つ一方のリードＬＤの反対方向である＋Ｙ方向に曲げられる。
【００８１】
以上により、図１５（Ｃ）に示すように、一対のリードＬＤは、Ｎ曲げモードで曲げられる。
【００８２】
なお、本実施形態においては、一方のリードＬＤが一方のクリンチ部材３１０Ｂの第２側面２の溝１０に保持され、他方のリードＬＤが他方のクリンチ部材３１０Ｂの第３側面３の溝１０に保持されている状態で、一対のクリンチ部材３１０Ｂが回転軸ＢＸを中心に規定方向に回転することにより、一方のリードＬＤが−Ｙ方向に曲げられ、他方のリードＬＤが＋Ｙ方向に曲げられることとした。一方のリードＬＤが一方のクリンチ部材３１０Ｂの第１側面１の溝１０に保持され、他方のリードＬＤが他方のクリンチ部材３１０Ｂの第４側面４の溝１０に保持されている状態で、一対のクリンチ部材３１０Ｂが回転軸ＢＸを中心に規定方向の逆方向に回転することにより、一方のリードＬＤが＋Ｙ方向に曲げられ、他方のリードＬＤが−Ｙ方向に曲げられる。
【００８３】
本実施形態においては、Ｎ曲げモードでリードＬＤを曲げるときのリード折曲装置３００の動作について説明した。外曲げモードでリードＬＤを曲げる場合、リード折曲装置３００は、一対のクリンチ部材３１０Ｂを一対のリードＬＤの間に配置した後、一対のクリンチ部材３１０Ｂを開くことにより、外曲げモードでリードＬＤを曲げることができる。内曲げモードでリードＬＤを曲げる場合、リード折曲装置３００は、一対のクリンチ部材３１０Ｂを一対のリードＬＤの外側に配置した後、一対のクリンチ部材３１０Ｂを閉じることにより、内曲げモードでリードＬＤを曲げることができる。回転げモードでリードＬＤを曲げる場合、リード折曲装置３００は、一対のクリンチ部材３１０Ｂの溝１０のそれぞれに一対のリードＬＤを配置した後、一対のクリンチ部材３１０Ｂを、回転軸ＢＸを中心に回転させることにより、回転曲げモードでリードＬＤを曲げることができる。
【００８４】
［効果］
以上説明したように、本実施形態によれば、一対のクリンチ部材３１０Ｂのそれぞれに、基板Ｐの裏面から突出した一対のリードＬＤを保持可能な溝１０が設けられる。リードＬＤが溝１０に保持されている状態で、一対のクリンチ部材３１０Ｂが回転軸ＢＸを中心に回転するとともに、距離Ｄａから距離Ｄｂに離れるように開くことにより、一対のリードＬＤを簡単に短時間でＮ曲げモードで曲げることができる。
【００８５】
クリンチ部材３１０Ｂは、リードＬＤが溝１０に配置された状態で回転しながら開く。リードＬＤは、溝１０の内面と相対移動可能である。リードＬＤが溝１０の内面に対して摺動することにより、リードＬＤが溝１０に配置された状態でクリンチ部材３１０Ｂが回転しながら開いても、リードＬＤに過度な負荷がかかることが抑制される。
【００８６】
本実施形態においては、第１側面１及び第２側面２の両方に溝１０が設けられ、第３側面３及び第４側面４の両方に溝１０が設けられる。リードＬＤが保持される溝１０及び一対のクリンチ部材３１０Ｂの回転方向が選択されることにより、一方のリードＬＤが−Ｙ方向に曲げられ他方のリードＬＤが＋Ｙ方向に曲げられる第１のＮ曲げモード、及び一方のリードＬＤが＋Ｙ方向に曲げられ他方のリードＬＤが−Ｙ方向に曲げられる第２のＮ曲げモードの一方又は両方でリードＬＤを簡単に曲げることができる。
【００８７】
本実施形態において、溝１０は、上端面３１０Ｂａと対向面３１０Ｂｂとを結ぶように設けられる。これにより、ステップＳ３０で説明したように溝１０にリードＬＤを配置するとき、リードＬＤは溝１０に円滑に配置される。
【００８８】
本実施形態において、溝１０の幅は、上端面３１０Ｂａから対向面３１０Ｂｂに向かって大きくなる。これにより、リードＬＤが溝１０に配置された状態でクリンチ部材３１０Ｂが回転しながら開いても、リードＬＤに過度な負荷がかかることが抑制され、リードＬＤは円滑に曲げられる。
【符号の説明】
【００８９】
１…第１側面、２…第２側面、３…第３側面、４…第４側面、１０…溝、３０…ノズル、３２…保持部、３２Ａ…固定アーム、３２Ｂ…可動アーム、３３…駆動部、３４…ヒンジ機構、３５…ノズル本体、１００…電子部品実装装置、１０２…設置部、１０３…基板搬送装置、１０４…基板保持機構、１０６…実装ヘッド、１０７…実装ヘッド移動装置、１０７ａ…Ｘ軸ガイドレール、１０７ｂ…Ｙ軸ガイドレール、１０９…Ｘ駆動部、１１０…Ｙ駆動部、１１４…ベースフレーム、１２０…制御装置、１２１…制御部、１２２…記憶部、１２３…折曲モード決定部、１４０…ノズル移動装置、１５０…Ｚ駆動部、１６０…θＺ駆動部、２００…電子部品供給装置、３００…リード折曲装置、３１０…アーム部材、３１０Ａ…シャフト、３１０Ｂ…クリンチ部材、３１０Ｂａ…上端面、３１０Ｂｂ…対向面、３１０Ｃ…ピン、３１０Ｄ…ばね、３１１…第１支持部材、３１２…第２支持部材、３１２Ａ…支持台、３１２Ｂ…円筒部、３１３…貫通孔、３２０…クリンチ装置、３３０…回転機構、３３１…回転ガイド部、３３２…回転駆動部、３３２Ｄ…動力伝達機構、３４０…開閉機構、３４１Ａ…ガイドロッド、３４２…開閉部材、３４３…開閉駆動部、３４３Ａ…回転シャフト、３４３Ｄ…動力伝達機構、３４４…ローラ、３５０…移動装置、３５１…ベースプレート、３５２…移動部材、３５３…Ｙ軸ガイド部、３５３Ａ…底板、３５３Ｂ…側板、３５３Ｃ…Ｙ軸ガイドロッド、３５４…Ｘ軸ガイド部、３５４Ｇ…Ｘ軸ガイドレール、３５５…Ｙ軸駆動部、３５６…Ｘ軸駆動部、３５７…Ｚ軸ガイド部、３５７Ａ…雄ねじロッド、３５７Ｂ…雌ねじロッド、３５７Ｃ…ガイドロッド、３５７Ｄ…孔、３５８…Ｚ軸駆動部、３５８Ｄ…動力伝達機構、ＡＸ…回動軸、Ｃ…電子部品、ＣＨ…部品本体、ＬＤ…リード、ＭＰ…搭載位置、Ｐ…基板、ＰＪａ…部品供給位置、ＰＪｂ…実装位置。
【図１】
2020013922.tif 000003
【図２】
2020013922.tif 000004
【図３】
2020013922.tif 000005
【図４】
2020013922.tif 000006
【図５】
2020013922.tif 000007
【図６】
2020013922.tif 000008
【図７】
2020013922.tif 000009
【図８】
2020013922.tif 000010
【図９】
2020013922.tif 000011
【図１０】
2020013922.tif 000012
【図１１】
2020013922.tif 000013
【図１２】
2020013922.tif 000014
【図１３】
2020013922.tif 000015
【図１４】
2020013922.tif 000016
【図１５】
2020013922.tif 000017